(57)【要約】【課題】  紙葉類１枚毎の取出タイミングと、集積羽根車の集積タイミングをチェックし、この両者の同期が所定値内にない場合、同期はずれ検知手段によって機器異常を通知する紙葉類処理装置を提供する。【解決手段】  取出ローラ１０Ａは、紙葉類Ｐを１枚取り出す毎に１回転する。取出ローラ検知センサＳＣ１０は、この取出ローラ１０Ａが１回転するごとに１回暗になるセンサである。また、羽根車検知センサＳＣ３０〜ＳＣ３３は、羽根車のセンタを検知するセンサであり、１羽根毎に１回暗になるセンサである。上記取出ローラ検知センサＳＣ１０が暗になった瞬間から所定の時間Ｔ１経過後、許容範囲時間Ｔ２の間に羽根車検知センサＳＣ３０〜ＳＣ３３が暗にならない場合は、同期が外れていると判断する。【選択図】  図１
2006213460.tif 000002
【特許請求の範囲】
【請求項１】
一括して供給された紙葉類を１回転する毎に１枚取り出す取出ローラと、
この取出ローラが１回転する毎に１回検知する取出ローラ検知手段と、
前記取出ローラで取り出された前記紙葉類を搬送する搬送手段と、
前記取出ローラとタイミングベルトで連結されて回転する回転軸を有し、かつ、この回転軸の周囲に複数の羽根を備え、搬送される前記紙葉類を前記羽根と羽根の間で受け取り、前記回転軸に連動して回転しながら集積庫に集積する集積羽根車と、
この集積羽根車の羽根のセンタを検知する羽根車検知手段と、
前記取出ローラ検知手段が前記取出ローラの回転を検知した瞬間から、所定の時間経過後に設定された許容範囲時間の間に前記羽根車検知手段が前記羽根を検知したとき、前記取出ローラと前記集積羽根車の同期がとれていると判断する制御部と
を備えたことを特徴とする紙葉類処理装置。
【請求項２】
一括して供給された紙葉類を１回転する毎に１枚取り出す毎に取出ローラと、
この取出ローラが１回転する毎に１回検知する取出ローラ検知手段と、
前記取出ローラで取り出された前記紙葉類を搬送する搬手段と、
前記取出ローラとタイミングベルトで連結されて回転する回転軸を有し、かつ、この回転軸の周囲に複数の羽根を備え、搬送される前記紙葉類を前記羽根と羽根の間で受け取り、前記回転軸に連動して回転しながら集積庫に集積する集積羽根車と、この集積羽根車の羽根のセンタを検知する羽根車検知手段とを有する紙葉類集積装置を複数備え、
前記取出ローラ検知手段が前記取出ローラの回転を検知した瞬間から、所定の時間経過後に設定された許容範囲時間の間に複数の前記紙葉類集積装置のそれぞれの前記羽根車検知手段がそれぞれの前記羽根を検知したとき、前記取出ローラと前記集積羽根車の同期がとれていると判断する制御部と
を備えたことを特徴とする紙葉類処理装置。
【請求項３】
前記制御部はさらに、
前記取出ローラ検知手段が前記取出ローラの回転を検知した瞬間から、所定の時間経過後に設定された許容範囲時間の間に前記羽根車検知手段が前記羽根を検知しないとき、前記取出ローラと前記集積羽根車の同期が外れていると判断して、前記取出ローラ、前記搬送手段、前記集積羽根車を停止することを特徴とする請求項１又は請求項２記載の紙葉類処理装置。
【発明の詳細な説明】
【技術分野】
【０００１】
本発明は、紙幣や小切手、商品券、あるいはその他の有価証券などの紙葉類を取り出す取出タイミングと、この取り出した紙葉類を集積羽根車を回転して集積する集積タイミングとの同期はずれ検知手段を備えた紙葉類処理装置に関する。
【背景技術】
【０００２】
紙葉類を処理する紙葉類処理装置は、集積した状態で投入された紙葉類を取出ローラなどの紙葉類取出装置によって１枚ずつ取り出し、後段の紙葉類判別装置へ搬送する。このようにして搬送された紙葉類は、例えば、搬送路上に設けられた紙葉類判別装置を通過したときに、真偽（本物の紙葉類か、偽物の紙葉類か）、正損（再流通可能な正券紙葉類か、最流通不可能な損券紙葉類か）が検知され、この検出結果に基づいて搬送路上に設けられた複数の振り分けゲートが切り換えられて、紙葉類集積装置、紙葉類裁断装置、排除券集積装置など所定の搬送先へ搬送されて処理される。
【０００３】
紙葉類集積装置は、このようにして振り分けられた紙葉類を取り込み、一次集積室に区分集積する。この集積の結果所定枚数（例えば、１００枚）に達すると一次集積室の排出口（シャッター）を開放して、一次集積室に対応したカセットに押込板によって押圧して集積していた。または、この集積された紙葉類を紙帯を用いて施封していた。
【０００４】
紙葉類裁断装置は、長期間流通して古くなった紙葉類、又は切れ、破れ、落書き、テープ張り付きなどの紙葉類を損券紙葉類（以下、損券と称する）として裁断して収納箱に収納する。
【０００５】
排除券集積装置は、判別不能紙葉類や紙葉類判別装置で偽物の紙葉類（以下、偽券と称する）と判別された紙葉類を排除券集積カセットに集積していた。
【０００６】
上記紙葉類集積装置又は排除券集積装置などの集積装置として集積羽根車を用いた集積方法が知られている。紙葉類処理装置などのように腰の弱い紙葉類を高速に搬送して集積する場合、高速に搬送される紙葉類の運動エネルギーを吸収して搬送速度を緩和する方法として適しているために使用されることが多い。この場合、紙葉類を取り出す取出ローラと集積羽根車とは同期させる必要があり、この取出ローラと、集積羽根車の回転軸とをタイミングベルトで物理的に連結して同期を取っていた。（例えば、特許文献１参照。）。
【特許文献１】特開２００１−１６３５００号公報  （第３―４頁、図１）
【発明の開示】
【発明が解決しようとする課題】
【０００７】
しかしながら、上記取出ローラと、複数の紙葉類集積装置の集積羽根車とを物理的に連結することによって同期を取っていたために、例えば、取出ローラと集積羽根車とを連結するタイミングベルトの歯飛びが起きた場合には、取出ローラによる取出タイミングと集積羽根車の集積タイミングの同期が取れなくなり集積羽根車によって正常に集積できないという障害が発生していた。また、取出タイミングと集積羽根車の集積タイミングの同期が取れているかどうかは、紙葉類を実際に取出、搬送、集積を行い、集積できない紙葉類が発生してみなければわからなかった。
【０００８】
本発明は上記問題を解決するためになされたもので、紙葉類１枚毎の取出タイミングと、集積羽根車の集積タイミングをチェックし、この両者の同期が所定値内にない場合、同期はずれ検知手段によって機器異常を通知する紙葉類処理装置を提供することを目的とする。
【課題を解決するための手段】
【０００９】
上記目的を達成するために、本発明の請求項１記載の紙葉類集積装置は、一括して供給された紙葉類を１回転する毎に１枚取り出す取出ローラと、この取出ローラが１回転する毎に１回検知する取出ローラ検知手段と、前記取出ローラで取り出された前記紙葉類を搬送する搬送手段と、前記取出ローラとタイミングベルトで連結されて回転する回転軸を有し、かつ、この回転軸の周囲に複数の羽根を備え、搬送される前記紙葉類を前記羽根と羽根の間で受け取り、前記回転軸に連動して回転しながら集積庫に集積する集積羽根車と、
この集積羽根車の羽根のセンタを検知する羽根車検知手段と、前記取出ローラ検知手段が前記取出ローラの回転を検知した瞬間から、所定の時間経過後に設定された許容範囲時間の間に前記羽根車検知手段が前記羽根を検知したとき、前記取出ローラと前記集積羽根車の同期がとれていると判断する制御部とを備えたことを特徴とする紙葉類処理装置。
【発明の効果】
【００１０】
本発明によれば、紙葉類１枚毎の取出タイミングと、集積羽根車の集積タイミングをチェックし、この両者の同期が所定値内にない場合、同期はずれ検知手段によって機器異常を通知することが出来る。
【発明を実施するための最良の形態】
【００１１】
以下、図面を参照して本発明の実施例を説明する。
【実施例】
【００１２】
図１は、本発明の実施例による紙葉類処理装置１の概略構成図である。図２は、紙葉類集積装置３０の主要部分を示す正面図である。また、図３は、紙葉類の取出タイミングと集積羽根車検知センサの同期を説明するタイミングチャートである。
【００１３】
最初に、図１を参照して紙葉類処理装置１の構成について説明する。紙葉類処理装置１は、紙幣などの紙葉類Ｐの真偽（真券か偽券か）又は正損（再流通可能な正券か再流通不可能な損券か）を判別し、正券は紙葉類Ｐの種類ごとに紙葉類集積装置３０Ａ〜３３Ａに区分して集積し、損券は紙葉類裁断装置６０で裁断し、裁断片を収納箱（図示しない）に収集する装置である。
【００１４】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転する毎に紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００１５】
さらに、この取出ローラ１０Ａの取出回転を検知する取出ローラ検知センサ（取出ローラ検知手段）ＳＣ１０が設けられている。従って、取出ローラ検知センサＳＣ１０は、取出ローラ１０Ａが１回転する毎に１回暗になるセンサである。
【００１６】
このようにして、取出ローラ１０Ａによって供給部１０から供給された紙葉類Ｐは紙葉類判別部５０によって判別される。紙葉類判別部５０は、紙葉類Ｐの物理的特性を検知して判別するもので複数の紙葉類判別装置５２Ａ〜５６で構成されており、搬送方向下流に向かって搬送路２０に設けられている。また、これら紙葉類判別装置５２Ａ〜５６の判別結果に基づいて正券と判別された紙葉類Ｐを集積する紙葉類集積装置３０〜３３、損券と判別された紙葉類Ｐを裁断する紙葉類裁断装置６０、偽券又は排除券を集積する排除券集積装置４０が設けられている。
【００１７】
取出検知部５１は、供給部１０から供給された紙葉類Ｐの取出状態を検知し検知結果を制御部２に通知する。この取出状態の検知結果が、例えば、複数枚取り出し、搬送ピッチ詰まりなどの場合は、搬送方向下流に搬送して処理する振分ゲートで振り分けられないなどの障害が発生しやすいため、搬送異常を制御部２に通知する。制御部２は、この取出異常の通知を受信し、当該紙葉類Ｐの搬送方向を振り分ける振り分けゲートＧ４０を左に回動することによって当該紙葉類Ｐを搬送路２１に沿って搬送させ排除券集積部４１に集積する。この排除券集積部４１に集積された紙葉類Ｐは再供給することが可能である。
【００１８】
排除券集積装置４０は、紙葉類判別装置５０によって排除された紙葉類Ｐを集積するもので、集積羽根車４０Ａ、排除券カセット４０Ｂを備えている。そして、搬送路２２に沿って搬送されてきた紙葉類Ｐを集積羽根車４０Ａで受け取り、排除券カセット４０Ｂに集積する。
【００１９】
紙葉類判別装置５２Ａ〜５２Ｂは、紙葉類Ｐの券種判別又は正損判別機能を有している。券種判別は、紙葉類Ｐが日本紙幣の場合は千円、２千円、５千円、万円からなる金種と搬送状態（正立／倒立、表／裏）を判別する。また、正損判別は紙葉類が正券か損券かを判別する。
【００２０】
紙葉類判別装置５３は、紙葉類Ｐの形状検知機能を有しており、紙葉類Ｐの長さ、幅、穴、破れなどを検知し検知結果を制御部２に通知する。当該紙葉類Ｐの長さ、幅が設定券種の設定値を超える場合は排除券となる。また、当該紙葉類Ｐの穴、破れ、切れなどが設定値を超える場合は損券となる。
【００２１】
紙葉類判別装置５４Ａ、５４Ｂは、紙葉類Ｐの磁気検知機能を有しており、紙葉類Ｐの磁性体量を検知し検知結果を制御部２に通知する。当該紙葉類Ｐの磁性体量が設定値を超える場合、又は当該紙葉類の所定の箇所に所定の磁性体量が存在しない場合は排除券となる。
【００２２】
紙葉類判別装置５４Ｃ、５４Ｄは、紙葉類Ｐの蛍光検知機能を有しており、紙葉類Ｐの蛍光体量を検知し検知結果を制御部２に通知する。当該紙葉類Ｐの蛍光体が設定値を超える場合、又は当該紙葉類の所定の箇所に所定の蛍光体量が存在しない場合は排除券となる。
【００２３】
紙葉類判別装置５５は、紙葉類Ｐの厚さ検知機能を有しており、紙葉類Ｐの厚さを検知し検知結果を制御部２に通知する。当該紙葉類Ｐの厚さが設定値を超える場合は排除券となる。
【００２４】
紙葉類判別装置５６は、テープ貼り検知機能を有しており、紙葉類Ｐに張り付いたテープを検知する。テープ貼りの大きさが設定値以内であれば損券となり、設定値を超える場合は排除券となる。
【００２５】
上記紙葉類判別装置５２Ａ〜５６の処理の結果、正券は紙葉類集積装置３０〜３３に供給され、損券は紙葉類裁断装置６０に供給され、排除券は排除券集積装置４０に供給される。
【００２６】
紙葉類集積装置３０〜３３は同様に構成されているため、ここでは紙葉類集積装置３０の説明を行い、紙葉類集積装置３１〜３３は、紙葉類集積装置３０と異なる部分の説明を行う。
【００２７】
紙葉類集積装置３０には、上記紙葉類判別装置５２Ａ〜５６の処理の結果正券と判別された紙葉類Ｐの最初の１００枚が集積される。このときは、振り分けゲートＧ３０が右に回動され、当該紙葉類Ｐは搬送路２２を搬送されて集積羽根車３０Ａを備えた紙葉類集積装置３０の第１集積室（集積庫）に集積される。１００枚の通過と共に、振り分けゲートＧ３０を左側に回動し紙葉類Ｐが続けて集積されるのを防止すると共に、振り分けゲートＧ３１を右側に回動し、続けて搬送される１０１枚以降の正券の紙葉類Ｐを集積部３１に搬送するようにする。上記紙葉類集積装置３０の集積庫に集積された正券１００枚の紙葉類Ｐは第２集積室（カセット）に集積後、図示しない紙帯で施封される。同様に、集積部３１の集積庫に集積された正券が１００枚に達すると、振り分けゲートＧ３１を左側に回動し、紙葉類が続けて集積されるのを防止すると共に振り分けゲートＧ３０を右側に回動し、次の１００枚を紙葉類集積装置３０の集積庫に集積する。
【００２８】
紙葉類集積装置３２、３３は、紙葉類集積装置３０、３１で処理されるのとは異なる券種の集積に使用される。また、上記１００枚毎に紙帯で施封された紙葉類はコンベア７０によって左側に搬送され、ストラップスタッカ７１に収納される。
【００２９】
次に、図２を参照して紙葉類集積装置３０〜３３の説明を行う。紙葉類集積装置３０〜３３は、上述したように何れも同様に構成されているため、ここでは紙葉類集積装置３０を中心に説明する。図２は、本発明の実施例による紙葉類集積装置３０を示す図である。紙葉類集積装置３０は、取出ローラ１０Ａとタイミングベルト（図示しない）で連結されて回転する回転軸３０Ｇを有し、かつ、この回転軸３０Ｇの周囲に複数の羽根を備えた集積羽根車３０Ａが設けられている。この集積羽根車３０Ａは、取出ローラ１０Ａの回転に連動して回転しながら搬送される紙葉類Ｐを集積庫３０Ｆに集積する。
【００３０】
図２（Ａ）は、紙葉類集積装置３０の正面図で、紙葉類Ｐがシャッター３０Ｂ、３０Ｂ上部の集積庫３０Ｆに集積されている状態を示す。図２（Ｂ）は、集積庫３０Ｆに集積された紙葉類Ｐの枚数が所定枚数（例えば、１００枚）に達し、シャッター３０Ｂ、３０Ｂ下部のスタッカーに集積された状態を示す。
【００３１】
紙葉類集積装置３０には、搬送路２０から搬送ゲートＧ３０によって集積羽根車３０Ａに導くための搬送路２２が設けられている。
【００３２】
集積羽根車３０Ａは、この集積羽根車３０Ａの羽根が集積羽根車検知センサＳＣ３０によって検知され、搬送路２２から放出された紙葉類Ｐの放出されるタイミングに合わせて、当該集積羽根車３０Ａの羽根と羽根の概略中央でこの紙葉類Ｐを取り込むように集積羽根車３０Ａの回転位置及び速度が設定される。また、上述した供給部１０の取出ローラ１０Ａは、１回転で１枚の紙葉類を取り出すように制御される。この取出ローラ１０Ａとタイミングベルと（図示しない）によって連結された集積羽根車３０Ａは、この回転周期に合わせて駆動されて回転する。この回転によって、次の羽根と羽根の概略中央で次の紙葉類Ｐの取り込みが行われる。このようにして集積動作がおこなわれる。
【００３３】
集積羽根車３０Ａに取り込まれた紙葉類Ｐは、集積羽根車３０Ａの回転に合わせて自然落下し、集積庫（第１の集積手段）３０Ｆの底部に設けられたシャッター４の上に集積される（図２（Ａ）参照）。
【００３４】
シャッター４は、２枚の板状体で構成され、紙葉類Ｐの積載方向と直交する方向に開閉自在に設けられている。実施例では概略中央で交差するように設けた２枚の板状体が同時に開閉できるようにしてある。
【００３５】
このシャッター４の上に所定枚数集積されると、例えば、満杯（１００枚）になると、満杯検知センサ（検知手段、図示しない）によって満杯が検知される。この満杯検知の結果、２枚の板状体（以下、シャッターと称す）が開き、集積された紙葉類Ｐがカセット（第２の集積手段）３０Ｄに設けられたバックアッププレート３０Ｅの上に落下して集積される。このようにして集積された紙葉類Ｐは、紙葉類Ｐの最上部の紙葉類表面に当接する押込板５によって押圧される（図２（Ｂ）参照）。
【００３６】
このようにしてカセット３０Ｄに集積された紙葉類Ｐは、次の施封装置（図示しない）によって紙帯（図示しない）を用いて施封される。
【００３７】
なお、取出ローラ１０Ａと他の集積羽根車３１Ａ〜３３Ａ、及び排除券集積装置４０の集積羽根車４０Ａも同様にタイミングベルトによって連結され、同期がとれるようになっている。
【００３８】
次に、図３を参照して紙葉類Ｐの取出タイミングと集積羽根車検知センサＳＣ３０〜ＳＣ３３による集積タイミングの同期を検知する同期はずれ検知手段を説明する。
【００３９】
取出ローラ検知センサＳＣ１０は、取出ローラ１０Ａが１回転する毎に１回暗になるセンサである。一方、羽根車検知センサＳＣ３０〜ＳＣ３３は、羽根のセンタを検知するセンサであり、１羽根がこのセンサを遮る毎に１回暗なるセンサである。
【００４０】
紙葉類の搬送を行う搬送ローラなどが回転し、紙葉類Ｐが搬送できる状態になってから、取出ローラ検知センサＳＣ１０が暗になった瞬間（図３（Ａ）のｔ１）と、羽根車検知センサＳＣ３０〜ＳＣ３３が暗になる瞬間（図３（Ｂ）のｔ２、図３（Ｃ）のｔ３、図３（Ｄ）のｔ４、図３（Ｃ）のｔ５）とが検知される。すなわち、取出ローラ検知センサＳＣ１０が暗になった瞬間（ｔ１）から所定の時間Ｔ１（経過時間）経過後に設定された許容範囲時間Ｔ２の間に羽根車検知センサＳＣ３０〜ＳＣ３３が暗になるかどうかが検知される。
【００４１】
この検知の結果、羽根車検知センサＳＣ３０、ＳＣ３１、ＳＣ３３は許容範囲時間Ｔ２以内に入って検知されている。この場合は、取出ローラ１０Ａと、集積羽根車３０Ａ、３１Ａ、３３Ａとは同期がとれていると判断される。
【００４２】
一方、羽根車検知センサＳＣ３２は、許容範囲時間Ｔ２以外で検知されている。この場合は、取出ローラ１０Ａと、集積羽根車３２Ａとは同期が外れていると判断される。この判断の結果、同期が外れている場合は制御部２によって機器異常が通知される。機器異常が通知されると操作部（図示しない）に表示されて搬送路が停止する。また、取出ローラ１０Ａの取出が停止し、これに同期して駆動される集積羽根車３０Ａ〜３３Ａの回転が停止する。
【図面の簡単な説明】
【００４３】
【図１】本発明の紙葉類処理装置の概略構成図。
【図２】紙葉類集積装置の主要部分を示す正面図。
【図３】紙葉類の取出タイミングと集積羽根車検知センサの同期を説明するフローチャート。
【符号の説明】
【００４４】
Ｐ  紙葉類
Ｇ３０、Ｇ３１、Ｇ３２、Ｇ３３、Ｇ４０、Ｇ４１、Ｇ６０  振り分けゲート
ＳＣ１０、ＳＣ３０、ＳＣ３１、ＳＣ３２、ＳＣ３３  羽根車検知センサ
１  紙葉類処理装置
２  制御部
１０  供給部
１０Ａ  取出ローラ
ＳＣ１０  取出ローラ検知センサ
２０、２１、２２、２３、２４、２５、２６、２７  搬送路
２０Ａ、２０Ｂ  搬送ローラ
３０、３１、３２、３３  紙葉類集積装置
３０Ａ、３１Ａ、３２Ａ、３３Ａ  集積羽根車
３０Ｂ  シャッター
３０Ｃ  押込板
３０Ｄ  スタッカー
３０Ｅ  バックアッププレート
３０Ｆ  集積庫
５０、５１、５２Ａ〜５２Ｂ、５３、５４Ａ〜５４Ｄ、５５、５６Ａ〜５６Ｂ  紙葉類判別装置
【図１】
2006213460.tif 000003
【図２】
2006213460.tif 000004
【図３】
2006213460.tif 000005